(57)【要約】【課題】セーフティーデバイスを注射針が覆われる位置に容易に移動させることができるとともに、注射動作時のセーフティーデバイスの誤作動を確実に防止することができる容器兼用注射器を提供することを目的とする。【解決手段】セーフティーデバイス５０を備えた容器兼用注射器１において、セーフティーデバイス５０を前方側に付勢するコイルバネ５９と、セーフティーデバイス５０をコイルバネ５９の付勢に抗して後退位置にて係止状態とする第１保持手段３と、軸線Ｏの径方向に沿ってスライド移動可能に設けられ、該スライド移動によって第１保持手段３によるセーフティーデバイス５０の係止状態を解除する係止解除手段８０と、第１保持手段３によるセーフティーデバイス５０の係止状態をロックするロック手段７０とを設ける。【選択図】図１
2011098049.tif 000002
【特許請求の範囲】
【請求項１】
薬液が充填され軸線に沿って延びる外筒の前端側に、注射針を装着した筒先が取り付けられるとともに、前記外筒の後端側に、フィンガーグリップが取り付けられた容器兼用注射器本体と、前記外筒の外周側に摺動可能に装着され、前方移動した際に前記注射針を覆うセーフティーデバイスとを備えた容器兼用注射器において、
前記セーフティーデバイスを前方側に付勢する付勢手段と、
前記セーフティーデバイスを前記付勢手段の付勢に抗して後退位置にて係止状態とする保持手段と、
前記軸線の径方向に沿ってスライド移動可能に設けられ、該スライド移動によって前記保持手段による前記セーフティーデバイスの前記係止状態を解除する係止解除手段と、
前記保持手段による前記セーフティーデバイスの前記係止状態をロックするロック手段とを備えることを特徴とする容器兼用注射器。
【請求項２】
前記係止解除手段が、
前記径方向外側に位置する待機位置から前記径方向内側に位置する解除位置にスライド移動する際に、
第一に前記ロック手段による前記ロックを解除し、
第二に前記係止解除手段による前記係止を解除するように構成されていることを特徴とする請求項１に記載の容器兼用注射器。
【請求項３】
前記保持手段が、前記容器兼用注射器本体に設けられた係止部と、前記セーフティーデバイスの後端部に設けられて前記係止部に前記径方向外側から係合する係合部とからなり、
前記ロック手段が、前記係合部を前記径方向外側から押圧する押圧部を備えることを特徴とする請求項１又は２に記載の容器兼用注射器。
【請求項４】
前記係合部の前記径方向外側の面に、前記押圧部が当接するリブを備えることを特徴とする請求項３に記載の容器兼用注射器。  
【請求項５】
前記ロック手段が、前記容器兼用注射器本体に対して回動可能に設けられ、
前記係止解除手段をスライド移動させる際に該係止解除手段が前記ロック手段に当接して、該ロック手段が回動されることによって、前記ロック手段による前記ロックが解除されることを特徴とする請求項１から４のいずれか一項に記載の容器兼用注射器。
【請求項６】
前記ロック手段が、前記径方向に沿ってスライド移動可能に設けられ、
前記係止解除手段のスライド移動に伴って前記ロック手段がスライドすることで、該ロック手段による前記ロックが解除されることを特徴とする請求項１から４のいずれか一項に記載の容器兼用注射器。
【請求項７】
前記フィンガーグリップに、
前記後退位置にある前記セーフティーデバイスの後端外周部を外周側から包囲する指当カバーが設けられたことを特徴とする請求項１から６のいずれか一項に記載の容器兼用注射器。
【発明の詳細な説明】
【技術分野】
【０００１】
本発明は、注射終了後等に注射針を覆い安全性を確保するために用いられるセーフティーデバイスを備えた容器兼用注射器に関する。
【背景技術】
【０００２】
容器兼用注射器は、予め薬液が充填されているため、医療機関において煩雑な操作をすることなく、包装から取り出して直ぐに使用できるので、利便性に優れ、医師や看護師等の医療業務に携わる者の作業の軽減に大変に役立ち、このため、多くの病医院で採用されている。
【０００３】
ところで、従来から医療業務に携わるものが注射器を使用した際に、穿刺後の注射針を誤って自らに刺してしまうことがあり、その穿刺を原因としたウイルス感染が懸念されている。そのため、患者に注射した後の注射針を安全に処理することを目的として、注射後の注射針を円筒状のカバーで覆って注射針の不用意な接触を防止するセーフティーデバイスを備えた注射器が考案されている。
【０００４】
例えば特許文献１に記載の注射器によれば、シリンダの外周に係止された可撓性のセーフティーデバイスに圧力を加えて撓ませることで係止状態を解除し、該セーフティーデバイスを挟持した状態で注射針を上方に向けることによって、注射器本体が自重により下方に移動して、注射針がセーフティーデバイスによって覆われるように構成されている。
【先行技術文献】
【特許文献】
【０００５】
【特許文献１】特開２００１−２９３３４号公報
【発明の概要】
【発明が解決しようとする課題】
【０００６】
しかしながら、上述した従来のセーフティーデバイスを備えた注射器においては、セーフティーデバイスを注射針を覆う位置に移動させる手段は注射器本体の自重のみであるため、セーフティーデバイスを相対移動させる力は弱く、場合によっては、注射針をセーフティーデバイスで覆う途中で注射器本体に引っかかることもあり、注射針を確実に覆うことができず安全性を保てないという問題があった。
【０００７】
なお、セーフティーデバイスを手動でもって移動させることも考えられるが、この場合、一方の手で容器兼用注射器自体を支えた状態で他方の手でもってセーフティーデバイスを持って移動させる必要があるため、両手での操作が必要となり、作業が煩雑になるという問題があった。
【０００８】
また、上述した従来のセーフティーデバイスを備えた注射器においては、セーフティーデバイスは係合部との摩擦によって簡易に取り付けられているに過ぎないため、セーフティーデバイスが強固に固定されず安定しないばかりか、場合によってはセーフティーデバイスが注射器から外れてしまい、注射針が医療業務に携わる者の手や指に誤って刺さってしまうという問題があった。
さらに、患者に対して注射を行う注射動作時には、セーフティーデバイスが誤作動することがないよう、該セーフティーデバイスを所定の位置に確実に保持することが望まれる。    
【０００９】
この発明は上記課題に鑑みてなされたものであって、セーフティーデバイスを注射針が覆われる位置に容易に移動させることができるとともに、注射動作時のセーフティーデバイスの誤作動を確実に防止して、安全性を確保することができる容器兼用注射器を提供することを目的とする。
【課題を解決するための手段】
【００１０】
前記課題を解決するため、この発明は以下の手段を提案している。
即ち、本発明に係る容器兼用注射器は、薬液が充填され軸線に沿って延びる外筒の前端側に、注射針を装着した筒先が取り付けられるとともに、前記外筒の後端側に、フィンガーグリップが取り付けられた容器兼用注射器本体と、前記外筒の外周側に摺動可能に装着され、前方移動した際に前記注射針を覆うセーフティーデバイスとを備えた容器兼用注射器において、前記セーフティーデバイスを前方側に付勢する付勢手段と、前記セーフティーデバイスを前記付勢手段の付勢に抗して後退位置にて係止状態とする保持手段と、前記軸線の径方向に沿ってスライド移動可能に設けられ、該スライド移動によって前記保持手段による前記セーフティーデバイスの前記係止状態を解除する係止解除手段と、前記保持手段による前記セーフティーデバイスの前記係止状態をロックするロック手段とを備えることを特徴とする。
【００１１】
このような特徴の容器兼用注射器によれば、係止解除手段を径方向に移動させることによって保持手段によるセーフティーデバイスの係止状態を解除する。これによって、セーフティーデバイスは付勢手段の付勢によって前方側に移動して注射針を覆う。即ち、保持手段をスライド移動させる操作のみをもってセーフティーデバイスが前方側に移動するため、容易かつ確実に注射針をセーフティーデバイスで覆うことができる。また、ロック手段によって保持手段によるセーフティーデバイスの係止状態がロックされているため、例えば不意に保持手段による係止状態を解除する外力が及んだ場合であっても、当該係止状態が解除されることはない。
【００１２】
また、本発明に係る容器兼用注射器においては、前記係止解除手段が、前記径方向外側に位置する待機位置から前記径方向内側に位置する解除位置にスライド移動する際に、第一に前記ロック手段による前記ロックを解除し、第二に前記係止解除手段による前記係止を解除するように構成されていることを特徴とする。
【００１３】
このような特徴の容器兼用注射器によれば、係止解除手段の一度のスライド移動によってロック手段によるロック及び係止解除手段による係止状態を解除することができる。したがって、セーフティーデバイスの誤作動を確実に防止しながらも、簡易な動作でもってセーフティーデバイスを作動させることができる。
【００１４】
さらに、本発明に係る容器兼用注射器においては、前記保持手段が、容器兼用注射器本体に設けられた係止部と、前記セーフティーデバイスの後端部に設けられて前記係止部に前記径方向外側から係合する係合部とからなり、前記ロック手段が、前記係合部を前記径方向外側から押圧する押圧部を備えることを特徴とする。
【００１５】
このような特徴の容器兼用注射器によれば、セーフティーデバイス側の係合部が容器兼用注射器側の係止部に径方向外側から係合することにより、セーフティーデバイスが後退位置にて係止状態とすることができる。また、この際に、係合部のさらに径方向外側からロック手段の押圧部が押圧することにより保持手段による係止状態をロックすることができる。
【００１６】
また、本発明に係る容器兼用注射器においては、前記係合部の前記径方向外側の面に、前記押圧部が当接するリブを備えることを特徴とする。
これにより、押圧部が係合部を押圧する際に、押圧部と係合部との接触圧力が大きくなるため、押圧部による保持手段のロックをより確実に行うことができる。
【００１７】
また、本発明に係る容器兼用注射器においては、前記ロック手段が、前記容器兼用注射器本体に対して回動可能に設けられ、前記係止解除手段をスライド移動させる際に該係止解除手段が前記ロック手段に当接して、該ロック手段が回動されることによって、前記ロック手段による前記ロックが解除される構成であってもよい。
一方、前記ロック手段が、前記径方向に沿ってスライド移動可能に設けられ、前記係止解除手段のスライド移動に伴って前記ロック手段がスライドすることで、該ロック手段による前記ロックが解除される構成であってもよい。
これによって、係止解除手段をスライドさせた際にロック手段によるロックを確実に解除する構成を実現することができる。
【００１８】
さらに、本発明に係る容器兼用注射器においては、前記フィンガーグリップに、前記後退位置にある前記セーフティーデバイスの後端外周部を外周側から包囲する指当カバーが設けられたことを特徴としている。
【００１９】
ここで、ロック手段によるロック及び保持手段による係止状態を解除する際に医師や看護師等の指がセーフティーデバイスの後端外周部に接触している場合、付勢手段の付勢によるセーフティーデバイスの前方側への移動が妨げられ、該セーフティーデバイスが正常に作動しないという問題があった。
この点、上記特徴の容器兼用注射器によれば、セーフティーデバイスの後端外周部を外周側から包囲して覆う指当カバーが設けられているため、医師が看護師等の指は当該指当カバーに接触しセーフティーデバイスに接触することはない、これにより、セーフティーデバイスの作動が妨げられることはなく、該セーフティーデバイスでもって注射針を確実に覆うことが可能となる。
【発明の効果】
【００２０】
本発明の容器兼用注射器によれば、係止解除手段を操作することのみをもってセーフティーデバイスを確実に注射針を覆う位置に移動させることができるため、セーフティーデバイスが注射針を覆う位置に該セーフティーデバイスを容易かつ確実に移動させて、安全性を確保することが可能となる。
また、係止解除手段がロック手段によってロックされているため、セーフティーデバイスの誤作動を確実に防止して、安全性を確保することができる。
【図面の簡単な説明】
【００２１】
【図１】第１実施形態に係る容器兼用注射器の一部を断面とした側面図である。
【図２】図１の一部拡大図である。
【図３】第１実施形態に係る容器兼用注射器を後端側から見た図である。
【図４】第１実施形態に係るフィンガーグリップ、係止解除手段及びロック手段を分解した状態を示す側面図である。
【図５】第１実施形態に係るフィンガーグリップの（ａ）側面図、（ｂ）後端側から見た図、（ｃ）図５（ｂ）におけるＡ−Ａ断面図である。
【図６】第１実施形態に係る係止解除手段の（ａ）側面図、（ｂ）後端側から見た図である。
【図７】第１実施形態に係るロック手段の（ａ）側面図、（ｂ）後端側から見た図、（ｃ）図７（ｂ）のＢ方向矢視図である。
【図８】図２において係止解除手段をスライド移動させている状態を示す図である。
【図９】第２実施形態に係る容器兼用注射器の後端側部分の側断面図である。
【図１０】第２実施形態に係る容器兼用注射器を後端側から見た図である。
【図１１】第２実施形態に係るフィンガーグリップ、係止解除手段及びロック手段を分解した状態を示す側面図である。
【図１２】第２実施形態に係るフィンガーグリップの（ａ）側面図、（ｂ）後端側から見た図、（ｃ）図５（ｂ）におけるＡ−Ａ断面図である。
【図１３】第２実施形態に係る係止解除手段の（ａ）側面図、（ｂ）後端側から見た図である。
【図１４】第２実施形態に係るロック手段の（ａ）側面図、（ｂ）後端側から見た図である。
【図１５】図１０において係止解除手段をスライド移動させている状態を示す図である。
【図１６】第３実施形態に係る容器兼用注射器の後端側部分の側断面図である。
【図１７】第３実施形態に係る容器兼用注射器を後端側から見た図である。
【図１８】第３実施形態に係るフィンガーグリップの（ａ）側面図、（ｂ）後端側から見た図、（ｃ）図５（ｂ）におけるＡ−Ａ断面図である。
【図１９】第３実施形態に係る係止解除手段の（ａ）側面図、（ｂ）後端側から見た図である。
【図２０】第３実施形態に係るロック手段の（ａ）側面図、（ｂ）後端側から見た図、（ｃ）図２０（ｂ）のＢ方向矢視図である。
【図２１】図１６において係止解除手段をスライド移動させている状態を示す図である。
【発明を実施するための形態】
【００２２】
以下、本発明に係る容器兼用注射器の第１の実施形態について、図面を参照して詳細に説明する。図１に示すように、第１実施形態における容器兼用注射器１は、軸線Ｏに沿って延びる容器兼用注射器本体１０にセーフティーデバイス５０が装着されて構成されている。
【００２３】
この容器兼用注射器１は、セーフティーデバイス５０を注射針３７から外れた後退位置に係脱可能に係止する第１保持手段（保持手段）３と、セーフティーデバイス５０を容器兼用注射器本体１０の注射針３７を覆う前進位置に係止する第２保持手段４と、セーフティーデバイス５０を後退位置から前進位置に向かって付勢するコイルバネ（付勢手段）５９と、第１保持手段３によるセーフティーデバイス５０の係止状態を解除する係止解除手段８０と、第１保持手段３によるセーフティーデバイス５０の係止状態をロックするロック手段７０とを備えている。
なお、以下では、容器兼用注射器本体１０の径方向を単に径方向と、先端側を前方と、後端側を後方と称することとする。
【００２４】
図１に示すように、容器兼用注射器本体１０は、外筒２０と、該外筒２０の前端側に取り付けられ、先端に注射針３７が装着されたハブルアーロック（筒先）３０と、外筒２０の後端側に取り付けられたフィンガーグリップ４０とから構成されている。
【００２５】
外筒２０は、例えばガラスや合成樹脂等の透明部材からなり、軸線Ｏに沿って伸びる円筒形状をなしている。この外筒２０内部における前方側には前部ストッパー（図示省略）が液密に設けられ、その後方側には中間ストッパー（図示省略）及び後部ストッパー（図示省略）が軸線Ｏ方向に間隔を空けて液密に設けられている。そして、前部ストッパーと中間ストッパーとの間、及び、中間ストッパーと後部ストッパーの間には、それぞれ薬剤、薬液が封入されている。
【００２６】
ハブルアーロック３０は、適度な剛性を備えた透明な合成樹脂からなる軸線Ｏを中心とした外形多段円柱状をなしており、円筒形状をなして基端側に位置するセーフティーデバイス係合部３１と、該セーフティーデバイス係合部３１の先端側に一段縮径するように結合された円筒部３２と、該円筒部３２よりも小径に形成されて該円筒部３２の先端側に結合されるとともに、軸線Ｏに沿って先端側に向かって延びるルアー先３３と、該ルアー先３３の径方向外側に間隔を空けて円筒部３２の先端側に結合され、軸線Ｏを中心とした円筒状をなすルアーロック部３４とを備えている。
【００２７】
上記セーフティーデバイス係合部３１の内側には、後方側に開口して上記外筒２０前端外周が嵌り込む嵌合孔３５が形成されている。また、セーフティーデバイス係合部３１の嵌合孔３５の前方側、即ち、円筒部３２の内側には、有底穴状をなすバイパスチャンバー３６が形成されている。このバイパスチャンバー３６は、その内径が嵌合孔３５よりも一段小径とされた有底穴であって、その内周壁には、軸線Ｏと平行に延びる複数のバイパス溝３６ａが周方向に等間隔に形成されている。これらバイパス溝３６ａはそれぞれバイパスチャンバー３６の底部３６ｂ中央まで延びている。また、このバイパス溝３６ａの後端は、バイパスチャンバー３６と嵌合孔３５との境界に軸線Ｏを中心として形成された環状溝３６ｃによって連結されている。
【００２８】
また、上記ルアー先３３はその外周面が前方側に向かうに従って縮径するテーパ外周面３３ａとされており、またその内部には、ルアー先３３内を軸線Ｏに沿って前後に貫通してバイパスチャンバー３６の底部３６ｂの中央に連通する連通孔３３ｂが穿設されている。
さらに、上記ルアーロック部３４の内周面には、注射針３７の針基を係止するためのロックネジ３４ａが形成されている。
【００２９】
注射針３７は、軸線Ｏに沿って前方側に向かって延びる注射針本体３８と、該注射針本体３８の基端側に位置する針基３９とから構成されている。針基３９は、その後端部に前方側に向かうに従って軸線Ｏを中心として漸次縮径するテーパ穴３９ａを備えており、さらに、後端部外周側に向かって突出する螺合突起３９ｂを備えている。この針基３９のテーパ穴３９ａがルアー先３３のテーパ外周面３３ａに嵌合するとともに、螺合突起３９ｂがルアーロック部３４のロックネジ３４ａに螺合することで、注射針３７がルアーロック部３４前端に強固に固定一体化されている。
【００３０】
フィンガーグリップ４０は、図２〜図５に示すように、係止解除手段８０及びロック手段７０が取り付けられる部材であって、円筒形状をなす嵌着部４１と、該嵌着部４１の後端部から径方向外側に向かって張り出すフランジ部４５とを備えている。さらに、本実施形態においては、嵌着部４１の外周側に該嵌着部４１から径方向に所定間隔を空けて一対の指当カバー４９，４９が設けられている。
【００３１】
嵌着部４１は、その内周側が上記外筒２０の後端部が嵌め込まれる嵌着孔４２とされており、該嵌着部４１の後端側には後方に向かって開口し嵌着部よりも小径をなす挿通孔４３が形成されている。また、嵌着部４１の外周面における先端側の部分は、該外周面の他の部分に比べて一段縮径しており、この縮径により形成された前方側を向く段部がコイルバネ５９の後端が当接するバネ当接段部４１ａとされている。さらに、該嵌着部４１の後端外周部には、周方向に１８０°の間隔を空けて、かつ、軸線Ｏ方向の同一位置に、径方向外側に向かって略円柱状に突出する一対の係止凸部（係止部）４４，４４が形成されている。
【００３２】
フランジ部４５は、図５（ｂ）に示すように、係止凸部４４，４４が対向する方向が短手方向とされるとともに該短手方向に直行する方向が長手方向とされた概略矩形状をなしている。このフランジ部４５における後方側を向く面は平坦状をなすフランジ面４６とされており、該フランジ面４６の中央に上記挿通孔４３が円形をなして開口している。また、フランジ部４５における前方側を向く面は指掛面４５ａとされている。
なお、上記フランジ面４６における長手方向一方側の部分には、球面状に窪む係止凹部４６ａが形成されている。
【００３３】
フランジ部４５の長手方向の両脇には、互いに短手方向に対向するようにして一対の第１ガイド部４７，４７及び第２ガイド部４８，４８が設けられている。
【００３４】
第１ガイド部４７、４７は、フランジ部４５の長手方向一方側の両脇に設けられている。この第１ガイド部４７，４７は、フランジ面４６から垂直に立設されるとともに長手方向に沿って延在する側方ガイド４７ａ，４７ａと、側方ガイド４７ａ，４７ａの上縁における長手方向中央寄りの部分からそれぞれ互いに近接するように延出した押さえガイド４７ｂ，４７ｂとから構成されている。
【００３５】
また、これら第１ガイド部４７，４７における互いに対向する側とは反対側の面には、後述するロック手段７０をフランジ部４５に固定するための矩形溝４７ｃ，４７ｃがそれぞれ形成されている。
【００３６】
第２ガイド部４８，４８は、フランジ部４５の長手方向他方側の両脇に設けられている。この第２ガイド部４８，４８は、フランジ面４６から垂直に立設されるとともに長手方向に沿って延在する側方ガイド４８ａ，４８ａと、これら側方ガイド４８ａ，４８ａの上縁からからそれぞれ互いに近接する方向に延出する押さえガイド４８ｂ，４８ｂとから構成された断面略Ｌ字状をなしている。なお、これら一対の第２ガイド部４８，４８の離間距離は、上記一対の第１ガイド部４７，４７の離間距離よりも一段小さなものとされている。
【００３７】
また、これら第２ガイド部４８，４８における互いに対向する側とは反対側の面には、ロック手段７０を回動可能に取り付けるための取付穴４８ｃ，４８ｃがそれぞれ形成されている。なお、この取付穴４８ｃ，４８ｃはフランジ部４５の長手方向中央から離間した位置に形成されている。
【００３８】
そして、指当カバー４９は、軸線Ｏを中心として対向するように一対が設けられ、上記フランジ部４５の指掛面４５ａから前方側に向かって延出しており、軸線Ｏに直交する断面視において該軸線Ｏを中心とした円弧状をなしている。この一対の指当カバー４９，４９は、嵌着部４１の外周面と所定距離離間して配置されており、これにより指当カバー４９，４９と嵌着部４１の外周面との間には隙間が形成されている。
【００３９】
このような部材から構成される容器兼用注射器本体１０の外周に、セーフティーデバイス５０が装着される。このセーフティーデバイス５０は図１に示すように、セーフティーデバイス本体５１と、押圧リング６０とから構成されている。
【００４０】
セーフティーデバイス本体５１は、例えばポリプロピレン等の透明で適度な可撓性を有する材質によって強度が維持できる範囲で薄く成形され、軸線Ｏを中心とした略円筒形状をなしている。なお、このセーフティーデバイス本体５１の内径は、上記セーフティーデバイス係合部３１の外周面の外径と略同一に形成されている。
【００４１】
セーフティーデバイス本体５１の内周面には、径方向内側に向かって突出し、前方側に向かうに従って径方向内側に傾斜する外れ防止ストッパー５３が、周方向に等間隔を空けて複数形成されている。
【００４２】
さらに、外れ防止ストッパー５３の前方側には、押圧リング６０により径方向内側に押圧されることによって、内周面から径方向内側に突出する戻り防止ストッパー５４が、周方向に等間隔を空けて複数設けられている。この戻り防止ストッパー５４は、後方側に向かうに従って径方向内側に突出するように傾斜している。
【００４３】
このセーフティーデバイス本体５１に装着される押圧リング６０は、軸線Ｏ方向の長さがセーフティーデバイス本体５１よりも十分に短い円筒形状を有しており、例えばポリプロピレン等の透明で適度な可撓性を有する材質によって強度が維持できる範囲に薄く成形されている。また、この押圧リング６０の内径はセーフティーデバイス本体５１の外周面の外径と略同一に形成されており、これによって、セーフティーデバイス本体５１の外周面を軸線Ｏ方向に沿って摺動することができるようになっている。
【００４４】
そして、本実施形態においては、上記押圧リング６０がセーフティーデバイス本体５１外周面における戻り防止ストッパー５４に対応する箇所に移動した際にのみ、当該戻り防止ストッパー５４が径方向内側に突出する構成とされ、この押圧リング６０がセーフティーデバイス本体５１外周面における戻り防止ストッパー５４に対応する箇所以外の箇所に移動した際には、戻り防止ストッパー５４が径方向外側に向かって復元して、該戻り防止ストッパー５４の径方向内側に向かっての突出状態が解除される構成とされている。
【００４５】
なお、上記セーフティーデバイス本体５１の内周面における外れ防止ストッパー５３の後端側は、他の箇所よりも一段拡径されており、この拡径により形成された後方側を向く段部がコイルバネ５９の先端が当接するバネ当接段部５１ａとされている。
【００４６】
そして、セーフティーデバイス本体５１には、その外周面の後端から後方に向かって軸線Ｏに平行に矩形板状に延出する係合板（係合部）５８が、互いに平行に対向するようにして周方向に１８０°間隔を空けて一対形成されている。この係合板５８は、径方向に沿って弾性変形可能とされており、詳しくは図２に示すように、その厚み方向（径方向）に貫通して形成された円形の係合孔５８ｂを備えている。この係合孔５８ｂの内径は、容器兼用注射器本体１０におけるフィンガーグリップ４０の嵌着部４１に形成された係止凸部４４の外径と略同一に形成されており、係合孔５８ｂ内に係止凸部４４が嵌め込まれることで、係止凸部４４が係合板５８を係止するようになっている。
【００４７】
即ち、本実施形態においては、この係止凸部４４と係合板５８とによって第１保持手段３が構成されている。なお、これら係合板５８と係止凸部４４との係止を解除するには、係合板５８を径方向外側に弾性変形させて係止凸部４４が係合孔５８ｂから外れるようにすればよい。
また、セーフティーデバイス５０が前方側へ移動して注射針３７を完全に覆った状態においては、上記外れ防止ストッパー５３及び戻り防止ストッパー５４がハブルアーロック３０のセーフティーデバイス係合部３１に係合する。これにより、セーフティーデバイス５０が容器兼用注射器本体１０の前方側に保持される。即ち、本実施形態においては、上記外れ防止ストッパー５３、戻り防止ストッパー５４及びセーフティーデバイス係合部３１によって第２保持手段４が構成されている。
【００４８】
また、詳しくは図２に示すように、セーフティーデバイス本体５１の各係合板５８における径方向外側を向く面には、軸線Ｏと平行に延在する２本のリブ５８ｃが形成されている。
【００４９】
以上のような構成のセーフティーデバイス５０は、図１に示すように、容器兼用注射器本体１０に外嵌される。なお、この状態のセーフティーデバイス５０においては押圧リング６０が戻り防止ストッパー５４を押圧した状態にあり、これにより戻り防止ストッパー５４が径方向内側に向かって突出している。
【００５０】
また、セーフティーデバイス５０の一対の係合板５８，５８の係合孔５８ｂ，５８ｂにフィンガーグリップ４０の係止凸部４４，４４がそれぞれ嵌め込まれ、係合板５８，５８と係止凸部４４，４４とが係止する。即ち、第１保持手段３によってセーフティーデバイス５０が係止状態とされる。
【００５１】
なお、コイルバネ５９は、その後端をフィンガーグリップ４０におけるバネ当接段部４１ａに当接させるとともに、前端をセーフティーデバイス５０におけるバネ当接段部５１ａに当接させて圧縮状態で収納されている。この際、コイルバネ５９による付勢力が生じるが、上記のように係合板５８と係止凸部４４とが係止状態となることによって、セーフティーデバイス５０の移動が阻止されているのである。
【００５２】
また、このようにセーフティーデバイス５０が容器兼用注射器本体１０外周に取り付けられた状態においては、セーフティーデバイス本体５１の後端部が一対の指当カバー４９，４９の径方向内側に収納される。
【００５３】
次に、上記第１保持手段３による係止を解除する係止解除手段８０について説明する。この係止解除手段８０は、上記フィンガーグリップ４０のフランジ面４６上をスライド可能に配置される部材であって、図６に示すように、略矩形板状をなすスライド板８１と、該スライド板８１の表板面（容器兼用注射器１の後方側を向く面）８１ａから垂直に延出する操作板８７とを備えている。
【００５４】
スライド板８１は、上記フランジ部４５と長手方向及び短手方向を一致させた概略矩形状をなしている。また、スライド板８１における表板面８１ａの反対側の面は、裏板面８１ｂとされており、該裏板面８１ｂがフランジ面４６と接触することでフランジ面４６上をその長手方向にスライド可能とされている。また、裏板面８１ｂにおける長手方向の一方側寄りの箇所には、凸曲面状に突出するスライド板係止部８１ｃが形成されている。該スライド板係止部８１ｃは上記フィンガーグリップ４０のフランジ面４６の係止凹部４６ａと係止可能とされている。
【００５５】
また、スライド板８１の長手方向の両脇に位置する一対の側面８２，８２同士の間隔は、長手方向の一方側よりも他方側の方が一段狭いものとなっており、即ち、側面８２，８２は、それぞれ、一方側寄りに位置し互いに所定の間隔で離間する第１側面８２ａ，８２ａと、他方側寄りに位置し第１側面８２ａ，８２ａ同士の間隔よりも小さい間隔で互いに離間する第２側面８２ｂ，８２ｂを備えている。そして、記第１側面８２ａ，８２ａと第２側面８２ｂ，８２ｂとの境界部が、長手方向の一方側から他方側に向かうに従って、互いに近接する方向、即ち、フランジ面４６に配置された状態における径方向に向かって漸次傾斜する傾斜側面８２ｃ，８２ｃとされている。
【００５６】
また、図９に示すように、スライド板８１には、その表板面８１ａから裏板面８１ｂにかけて貫通する貫通孔８３が形成されている。この貫通孔８３は、所定の内径を有する大径孔８４と、該大径孔８４から長手方向一方側に向かって、大径孔８４よりも小径の内径を維持したまま連続的に延びる小径スリット８５とから構成されている。
【００５７】
そして、上記のようなスライド板８１の貫通孔８３よりもさらに一方側には、貫通孔８３の小径スリット８５を取り囲むようにして、後方視において略コの字状をなす操作板８７が設けられている。
この操作板８７は、小径スリット８５の両脇において長手方向に沿って延びる一対の縦板と、これら縦板の長手方向一方側の端部において縦板同士を短手方向に連結する横板とから構成されており、縦板における長手方向他方側の端部には、長手方向他方側から一方側に向かうに従って漸次後方側に向かって傾斜する傾斜面８７ａがそれぞれ形成されている。
【００５８】
次にセーフティーデバイス５０の係止状態をロックするロック手段７０について図７を参照して説明する。なお、図７（ｂ）における上下方向をロック手段７０の長手方向、左右方向をロック手段７０の短手方向とする。
【００５９】
このロック手段７０は、上記フランジ部４５及び係止解除手段８０と長手方向及び短手方向を一致した状態で配置される。このロック手段７０における長手方向他方側の両脇には、それぞれ短手方向に対向するように配置された取付部７１が形成されている。この取付部７１の互いに対向する面には、それぞれ円柱状突起７１ａが形成されている。この円柱状突起７１ａがフランジ部４５における取付穴４８ｃに嵌合することで、ロック手段７０は、その短手方向に沿った軸線Ｐ回りに回動可能にフランジ部４５に取り付けられる。
【００６０】
また、上記一対の取付部７１には板状をなすロック手段本体７２が一体に形成されている。このロック手段本体７２は上記フランジ部４５及び係止解除手段８０に積層されるように配置され、その長手方向一方側の端部が、係止解除手段８０がスライド移動する際に該係止解除手段の傾斜面８７ａ，８７ａが当接する当接面７３とされている。また、ロック手段本体７２には、当接面７３から他方側に向かって形成されたスリット穴７４が形成されている。このスリット穴７４は、フィンガーグリップ４０における挿通孔４３と略同一の径をなしており、図３に示すように、これらスリット穴７４と互いの円周が一致するように配置される。
【００６１】
また、ロック手段本体７２の長手方向一方側の両脇、即ち、当接面７３の両脇には、ロック手段本体７２がフランジ部４５及び係止解除手段８０に積層された状態において該ロック手段本体７２の位置を固定するための一対の固定部７５，７５が設けられている。この固定部７５，７５の互いに対向する面には、爪状突起７５ａ，７５ａがそれぞれ設けられており、該爪状突起７５ａ，７５ａがフランジ部４５における矩形溝４７ｃに嵌り込むことによって、ロック手段７０が固定される。
【００６２】
また、ロック手段本体７２の長手方向両側には、ロック手段本体７２がフランジ部４５及び係止解除手段８０に積層された状態において前方側に向かって延出する一対の押圧部７６，７６が一体に形成されている。
この押圧部７６，７６の間隔は、上記セーフティーデバイス本体５１における一対の係合板５８，５８のリブ５８ｃ同士の間隔よりも僅かに小さいものとされている。これにより、押圧部７６，７６が係合板５８，５８の径方向外側から当接する際には、各押圧部７６，７６が係合板５８，５８のリブ５８ｃを径方向外側に向かって押圧することになる。
【００６３】
次に、上記係止解除手段８０及びロック手段７０をフィンガーグリップ４０に取り付けた状態を詳細に説明する。これら係止解除手段８０及びロック手段７０は、図２〜図４に示すように、フィンガーグリップ４０のフランジ部４５上に、係止解除手段８０、ロック手段７０の順で積層されるように配置される。
【００６４】
係止解除手段８０は、図２及び図３に示すように、その裏板面８１ｂをフランジ部４５のフランジ面４６に面接触させて、該フランジ面４６の長手方向一方側寄りに配置される。この際、係止解除手段８０の一対の第１側面８２ａ，８２ａが、フランジ部４５の第１ガイド部４７，４７の側方ガイド４７ａ，４７ａにそれぞれ接触し、係止解除手段８０の一対の第２側面８２ｂ，８２ｂが第２ガイド部４８，４８の側方ガイド４８ａ，４８ａに接触する。また、係止解除手段８０の第２側面８２ｂ，８２ｂが、セーフティーデバイス５０の係合板５８，５８の内側面にそれぞれ接触する。さらに、係止解除手段８０の貫通孔８３のうち、大径孔８４の中心が軸線Ｏに一致し、これにより、大径孔８４とフィンガーグリップ４０の後端の挿通孔４３とが連通状態となる。
【００６５】
このように、第２側面８２ｂ，８２ｂが係合板５８，５８に接触し、かつ、大径孔８４の中心が軸線Ｏに一致した状態が、係止解除手段８０が容器兼用注射器１の径方向外側寄りに位置された待機位置とされている。この待機位置においては、係止解除手段８０はスライド板係止部８１ｃをフランジ面４６の係止凹部４６ａに嵌め込むことによって、フランジ面４６上に係止されている。
【００６６】
そして、ロック手段７０は図２及び図３に示すように、取付部７１，７１の円柱状突起７１ａがそれぞれフランジ部４５の取付穴４８ｃに嵌合し、かつ、固定部７５，７５の爪状突起７５ａ，７５ａがフランジ部４５の矩形溝４７ｃ，４７ｃに係合するように配置される。なお、このロック手段７０は円柱状突起７１ａ，７１ａ回りに、即ち軸線Ｐ回りに回動可能となるが、この状態においては固定部７５，７５によりロック手段７０が回動することはない。また、このように配置されたロック手段７０の当接面７３は、係止解除手段８０の傾斜面８７ａに当接している。
【００６７】
さらに、この状態において、ロック手段７０における一対の押圧部７６，７６は、セーフティーデバイス５０における一対の係合板５８，５８のリブ５８ｃをそれぞれ径方向外側から押圧する。この係合板５８，５８の係合孔５８ｂにはフィンガーグリップ４０の一致の係止凸部４４，４４が嵌合しているため、係合板５８，５８と係止凸部４４，４４との係合、即ち、第１保持手段３によるセーフティーデバイス５０の後退位置での係止状態が、ロック手段７０の押圧部７６，７６により拘束される。
【００６８】
次に、セーフティーデバイス５０を後退位置から前進位置に移動させる際の動作について説明する。
注射完了後、セーフティーデバイス５０で注射針３７を覆うには、係止解除手段８０を待機位置から長手方向他方側に位置する解除位置まで径方向に沿ってスライドさせる。この動作は、係止解除手段８０の操作板８７を例えば指先により操作することで行なわれる。この際、係止解除手段８０は、フランジ部４５に設けられた第１ガイド部４７，４７及び第２ガイド部４８，４８に案内されるため、円滑なスライド移動をさせることができる。
【００６９】
そして、このスライド移動の際には、まず係止解除手段８０の傾斜面８７ａがロック手段７０における当接面７３に当接する。このように傾斜面８７ａと当接面７３とが当接した状態からさらに係止解除手段８０を解除位置に向かってスライド移動させると、図８に示すように、ロック手段７０の爪状突起７５ａがフィンガーグリップ４０の矩形溝４７ｃから外れ、当接面７３は傾斜面８７ａに沿って乗り上げて、これに伴ってロック手段７０は取付部７１の円柱状突起７１ａ回りに、即ち、軸線Ｐ回りに回動する。これにより、ロック手段７０の押圧部７６が、セーフティーデバイス５０の係合板５８を押圧した状態から外れ、係合板５８のロック手段７０による拘束が解除される。
【００７０】
そして、さらに係止解除手段８０を解除位置に向かってスライド移動させると、係止解除手段８０の傾斜側面８２ｃ，８２ｃがセーフティーデバイス５０の係合板５８，５８に当接し、該係合板５８，５８は傾斜側面８２ｃ，８２ｃに乗り上げられるようにして径方向外側に向かって撓むことになる。すると、係合板５８，５８の係合孔５８ｂがフィンガーグリップ４０の係止凸部４４から外れ、即ち、第１保持手段３によるセーフティーデバイス５０の後退位置における拘束が解除される。
【００７１】
すると、セーフティーデバイス５０は、コイルバネ５９の付勢力に従って前方側へと向かって移動する。そして、このように移動したセーフティーデバイス５０が注射針３７の全域を覆った位置において、外れ防止ストッパー５３、戻り防止ストッパー５４とセーフティーデバイス係合部３１とが係合する。これによって、第２保持手段４によるセーフティーデバイス５０が前進位置における保持固定が完了し、注射針３７が外部に露呈することなく、容器兼用注射器１を安全に処理することができる。
【００７２】
このように、本実施形態の容器兼用注射器１によれば、係止解除手段８０を径方向に移動させることによって第１保持手段３によるセーフティーデバイスの係止状態を解除することができる。これによって、セーフティーデバイス５０はコイルバネ５９の付勢によって前方側に移動して注射針３７を覆う。即ち、係止解除手段８０をスライド移動させる操作のみをもってセーフティーデバイス５０を前方側に移動させることができるため、容易かつ確実に注射針３７をセーフティーデバイス５０によって覆うことができる。また、ロック手段７０によって第１保持手段３によるセーフティーデバイス５０の係止状態がロックされているため、例えば不意に第１保持手段３によるセーフティーデバイス５０の係止状態を解除する外力が及んだ場合であっても、当該係止状態が解除されることはない。したがって、安全性をより担保することができる。
【００７３】
また、係止解除手段８０の一度のスライド移動によって、ロック手段７０によるセーフティーデバイス５０の係止状態のロック及び係止解除手段８０によるセーフティーデバイス５０の係止状態を順次解除することができる。したがって、セーフティーデバイス５０の誤作動を確実に防止しながらも、簡易な動作でもってセーフティーデバイス５０を作動させることができる。
【００７４】
さらに、セーフティーデバイス５０側の係合板５８，５８がフィンガーグリップ４０の係止凸部４４に径方向外側から係合することにより、セーフティーデバイス５０を後退位置にて確実に係止状態とすることができ、この際に、係合板５８，５８のさらに径方向外側からロック手段７０の押圧部７６，７６が押圧することにより、係止状態を確実にロックすることができる。
【００７５】
また、ロック手段７０における押圧部７６，７６が係合板５８，５８のリブ５８ｃを押圧する構成のため、押圧部７６，７６と係合板５８，５８との接触圧力が大きくなるため、押圧部７６，７６による係止状態のロックをより確実に行うことができる。
【００７６】
ここで、ロック手段７０による係止状態のロック及び第１保持手段３による係止状態を解除する際に医師や看護師等の指がセーフティーデバイス５０の後端外周部に接触している場合には、コイルバネ５９の付勢によるセーフティーデバイス５０の前方側への移動が妨げられ、該セーフティーデバイス５０が正常に作動しない。
この点、本実施形態によれば、セーフティーデバイス５０の後端外周部を外周側から包囲して覆う指当カバー４９，４９が設けられているため、医師が看護師等の指は指当カバー４９，４９に接触しセーフティーデバイス５０に接触することはない、これにより、セーフティーデバイス５０の作動が妨げられることはなく、該セーフティーデバイス５０でもって注射針３７を確実に覆うことが可能となる。
【００７７】
次に、第２実施形態の容器兼用注射器１００について、図９〜図１５を参照して説明する。なお、図９〜図１５において、第１実施形態の容器兼用注射器１と同様の構成要素には同様の符号を付して詳細な説明を省略する。
第２実施形態の容器兼用注射器１００においては、ロック手段７０とフィンガーグリップ４０との固定方法について第１実施形態と相違している。
【００７８】
第２実施形態のフィンガーグリップ４０においては、図１２に示すように、第１ガイド部４７，４７の押さえガイド４７ｂにおけるフランジ部４５の長手方向一方側を臨む箇所に、鋭角をなして形成された鋭角溝４７ｄ，４７ｄが形成されている。
【００７９】
また、第２実施形態のロック手段７０には、矩形平板状をなしており、第１実施形態におけるスリット穴７４に代えて、円形をなす貫通孔７４ａが形成されている。また、ロック手段本体７２における長手方向一方側を臨む面の短手方向両端には、上記フィンガーグリップ４０に形成された鋭角溝４７ｄ，４７ｄに上記長手方向一方側から係合する係合爪７５ｂ，７５ｂが形成されている。また、この係合爪７５ｂ，７５ｂにおける長手方向一方側を臨む部分が、係止解除手段８０の傾斜面８７ａ，８７ａが当接し得る当接面７３とされている。
【００８０】
この第２実施形態においても、第１実施形態と同様に、図１１に示すように、フィンガーグリップ４０のフランジ部４５のフランジ面４６上に、係止解除手段８０，ロック手段７０の順で積層されるように配置される。そして、このように配置された状態においては、図９及び図１０に示すように、ロック手段７０における一対の係合爪７５ｂ，７５ｂが、フィンガーグリップ４０の鋭角溝４７ｄ，４７ｄに係合することにより、ロック手段７０が固定される。
【００８１】
第２実施形態の容器兼用注射器１００において、係止解除手段８０を待機位置から解除位置へと向かってスライドさせると、まず係止解除手段８０の傾斜面８７ａがロック手段７０における当接面７３に当接する。このように傾斜面８７ａと当接面７３とが当接した状態からさらに係止解除手段８０を解除位置に向かってスライド移動させると、図１５に示すように、ロック手段７０の係合爪７５ｂ，７５ｂとフィンガーグリップ４０の鋭角溝４７ｄ，４７ｄとの係合が解除されるとともにロック手段７０の当接面７３は傾斜面８７ａに沿って乗り上げ、これに伴ってロック手段７０は軸線Ｐ回りに回動する。これにより、ロック手段７０の押圧部７６が、セーフティーデバイス５０の係合板５８を押圧した状態から外れ、係合板５８のロック手段７０による拘束が解除される。
【００８２】
次に第３実施形態の容器兼用注射器１１０について、図１６〜図２１を参照して説明する。なお、図１６〜図２１において、第１実施形態の容器兼用注射器１と同様の構成要素には同様の符号を付して詳細な説明を省略する。
第１実施形態及び第２実施形態の容器兼用注射器１，１００においては、ロック手段７０がフィンガーグリップ４０に対して軸線Ｐ回りに回動可能に取り付けられていたのに対し、第３実施形態の容器兼用注射器１１０においては、ロック手段７０がフィンガーグリップ４０のフランジ面４６上にスライド可能に配置されている。
【００８３】
図１８に示すように、第３実施形態のフィンガーグリップ４０のフランジ面４６には、長手方向他方側に、凹穴状をなす第２係止凹部４６ｂ、第３係止凹部４６ｃが形成されている。
第２係止凹部４６ｂは、挿通孔４３に近接した箇所に位置しており、第３係止凹部４６ｃは、第２係止凹部４６ｂよりも長手方向他方側に向かって挿通孔４３から離間した位置に配置されている。
【００８４】
図１９に示すように、第３実施形態における係止解除手段８０における操作板８７には、第１実施形態及び第２実施形態のような傾斜面８７ａは形成されておらず、操作板８７は短手方向に沿って配置された板状をなしている。また、係止解除手段８０における長手方向他方側の面における短手方向中央部には、平面視矩形状をなす矩形スリット８８が形成されている。
【００８５】
第３実施形態におけるロック手段９０は、図２０（ｂ）に示すように、平面視において略コの字状をなしており、係止解除手段係合部９１、該係止解除手段係合部９１の両側に設けられたガイド係合部９２，９２、これらガイド係合部９２、９２からそれぞれ延在する押圧部９３，９３とを備えた構成とされている。
【００８６】
係止解除手段係合部９１は、係止解除手段８０の長手方向他方側の面と係合する部分であって、該係止解除手段係合部９１の中央部には、上記係止解除手段８０における矩形スリット８８と嵌り合う係合矩形部９１ａが形成されている。
【００８７】
また、ガイド係合部９２，９２は、フィンガーグリップ４０における第２ガイド部４８にスライド方向に沿って摺動可能に係合する部分であって、第２ガイド部４８に嵌り込むことができるように、その断面視において略Ｌ字状をなしている。
【００８８】
さらに、押圧部９３，９３は、セーフティーデバイス５０の係合板５８を径方向外側から押圧する部材であって、ロック手段９０が初期位置に位置している際に係合板５８を押圧し、初期位置から外れた移動位置に移動した際に、係合板５８の押圧状態が解除されるように構成されている。
また、ロック手段９０の裏面側には、上記フランジ面４６における第２係止凹部４６ｂあるいは第３係止凹部４６ｃに係合する係合突起９４が設けられている。
【００８９】
この第３実施形態においては、フィンガーグリップ４０のフランジ面４６の長手方向一方側に係止解除手段８０が配置され、長手方向他方側にロック手段９０が配置される。この際ロック手段９０は、ガイド係合部９２，９２が第２ガイド部４８，４８にそれぞれ嵌り込み、これによってロック手段９０がフランジ面４６の長手方向に沿ってスライド移動可能とされる。また、係止解除手段８０がロック手段９０における係止解除手段係合部９１に当接し、この際、ロック手段９０の係合矩形部９１ａが係止解除手段８０の矩形スリット８８に嵌り込む。
【００９０】
また、上記のように係止解除手段８０と当接するロック手段９０は、係止解除手段８０が待機位置にある状態においては、ロック手段９０の係合突起９４がフランジ面４６の第２係止凹部４６ｂに係合する。これによりロック手段９０が初期位置において固定され、僅かな外力でもっては移動しないようにされている。
【００９１】
第３実施形態の容器兼用注射器１１０においても、セーフティーデバイス５０を作動させるには、係止解除手段８０を待機位置から長手方向他方側に位置する解除位置まで径方向に沿ってスライドさせる。この際、係止解除手段８０は、フランジ部４５に設けられた第１ガイド部４７，４７及び第２ガイド部４８，４８に案内されるため、円滑なスライド移動をさせることができる。
【００９２】
そして、このスライド移動の際には、この係止解除手段８０と当接するロック手段９０も、係止解除手段８０と同様に、フランジ面４６の長手方向他方側に向かってスライドする。すると、図２１に示すように、ロック手段９０の押圧部９３，９３がセーフティーデバイス５０の係合板５８，５８から外れ、押圧部９３，９３による係合板５８，５８の押圧状態が解除される。
【００９３】
そして、さらに係止解除手段８０を解除位置に向かってスライド移動させると、係止解除手段８０の傾斜側面８２ｃ，８２ｃがセーフティーデバイス５０の係合板５８，５８に当接し、該係合板５８，５８は傾斜側面８２ｃ，８２ｃに乗り上げられるようにして径方向外側に向かって撓むことになる。すると、係合板５８，５８の係合孔５８ｂがフィンガーグリップ４０の係止凸部４４から外れ、即ち、第１保持手段３によるセーフティーデバイス５０の後退位置における拘束が解除され、該セーフティーデバイス５０が前方側へと向かって移動する。
【００９４】
このように、第３実施形態の容器兼用注射器１１０においても、係止解除手段８０をスライド移動させることにより、第１にロック手段９０によるロックを解除し、第２に第１保持手段３によるセーフティーデバイス５０の係止状態を解除することができる。したがって、容器兼用注射器１１０を使用する際に、安全性及び利便性を担保することが可能となる。
【００９５】
以上、本発明である容器兼用注射器１の実施形態について詳細に説明したが、本発明の技術的思想を逸脱しない限り、これらに限定されることはなく、多少の設計変更等も可能である。
【００９６】
例えば、セーフティーデバイス５０は、セーフティーデバイス本体５１と押圧リング６０とから構成され、押圧リング６０を位置によって戻り防止ストッパー５４が突出、後退する構成であるが、これに限定されることはなく、当初から戻り防止ストッパー５４が突出した構成をなすものであってもよい。また、この場合には、外れ防止ストッパー５３の高さが戻り防止ストッパー５４の高さよりも高く形成されていることが好ましい。これにより、セーフティーデバイス５０を容器兼用注射器本体１０の先端側から装着する際に、容易に装着することができるともに、セーフティーデバイス５０により注射針３７を覆う際には、セーフティーデバイス５０を確実に固定して、容器兼用注射器本体１０から外れてしまうのを防止することができる。
【００９７】
また、実施形態においてはコイルバネ５９がセーフティーデバイス５０の後端部において容器兼用注射器本体１０のフィンガーグリップ４０との間に配置された構成であったが、コイルバネ５９がセーフティーデバイス５０の先端側に配置された構成であってもよい。
【符号の説明】
【００９８】
１    容器兼用注射器
３    第１保持手段（保持手段）
４    第２保持手段
１０  容器兼用注射器本体
２０  外筒
３０  ハブルアーロック
３１  セーフティーデバイス係合部
３２  円筒部
３３  ルアー先
３３ａ       テーパ外周面
３４  ルアーロック部
３５  嵌合孔
３６  バイパスチャンバー
３６ａ       バイパス溝
３６ｂ       底部
３６ｃ       環状溝
３７  注射針
３８  注射針本体
３９  針基
３９ａ       テーパ穴
３９ｂ       螺合突起
４０  フィンガーグリップ
４１  嵌着部
４１ａ       バネ当接段部
４２  嵌着孔
４３  挿通孔
４４  係止凸部（係止部）
４５  フランジ部
４５ａ       指掛面
４６  フランジ面
４６ａ       係止凹部
４６ｂ       第２係止凹部
４６ｃ       第３係止凹部
４７  第１ガイド部
４７ａ       側方ガイド
４７ｂ       押さえガイド
４７ｃ       矩形溝
４７ｄ       鋭角溝
４８  第２ガイド部
４８ａ       側方ガイド
４８ｂ       押さえガイド
４８ｃ       取付穴
４９  指当カバー
５０  セーフティーデバイス
５１  セーフティーデバイス本体
５１ａ       バネ当接段部
５３  外れ防止ストッパー
５４  戻り防止ストッパー
５８  係合板
５８ｂ       係合孔
５８ｃ       リブ
５９  コイルバネ（付勢手段）
６０  押圧リング
７０  ロック手段
７１  取付部
７１ａ       円柱状突起
７２  ロック手段本体
７３  当接面
７４  スリット穴
７４ａ       貫通孔
７５  固定部
７５ａ       爪状突起
７５ｂ       係合爪
７６  押圧部
８０  係止解除手段
８１  スライド板
８１ａ       表板面
８１ｂ       裏板面
８１ｃ       スライド板係止部
８２  側面
８２ａ       第１側面
８２ｂ       第２側面
８２ｃ       傾斜側面
８３  貫通孔
８４  大径孔
８５  小径スリット
８７  操作板
８７ａ       傾斜面
８８  矩形スリット
９０  ロック手段
９１  係止解除手段係合部
９１ａ       係合矩形部
９２  ガイド係合部
９３  押圧部
１００       容器兼用注射器
１１０       容器兼用注射器
【図１】
2011098049.tif 000003
【図２】
2011098049.tif 000004
【図３】
2011098049.tif 000005
【図４】
2011098049.tif 000006
【図５】
2011098049.tif 000007
【図６】
2011098049.tif 000008
【図７】
2011098049.tif 000009
【図８】
2011098049.tif 000010
【図９】
2011098049.tif 000011
【図１０】
2011098049.tif 000012
【図１１】
2011098049.tif 000013
【図１２】
2011098049.tif 000014
【図１３】
2011098049.tif 000015
【図１４】
2011098049.tif 000016
【図１５】
2011098049.tif 000017
【図１６】
2011098049.tif 000018
【図１７】
2011098049.tif 000019
【図１８】
2011098049.tif 000020
【図１９】
2011098049.tif 000021
【図２０】
2011098049.tif 000022
【図２１】
2011098049.tif 000023
【手続補正書】
【提出日】平成23年1月6日(2011.1.6)
【手続補正１】
【補正対象書類名】明細書
【補正対象項目名】００１０
【補正方法】変更
【補正の内容】
【００１０】
前記課題を解決するため、この発明は以下の手段を提案している。
即ち、本発明に係る容器兼用注射器は、薬液が充填され軸線に沿って延びる外筒の前端側に、注射針を装着した筒先が取り付けられるとともに、前記外筒の後端側に、フィンガーグリップが取り付けられた容器兼用注射器本体と、前記外筒の外周側に摺動可能に装着され、前方移動した際に前記注射針を覆うセーフティーデバイスとを備えた容器兼用注射器において、前記セーフティーデバイスを前方側に付勢する付勢手段と、前記セーフティーデバイスを前記付勢手段の付勢に抗して後退位置にて係止状態とする保持手段と、前記軸線の径方向に沿ってスライド移動可能に設けられ、該スライド移動によって前記保持手段による前記セーフティーデバイスの前記係止状態を解除する係止解除手段と、前記保持手段による前記セーフティーデバイスの前記係止状態をロックするロック手段とを備え、前記係止解除手段が、前記径方向外側に位置する待機位置から前記径方向内側に位置する解除位置にスライド移動する際に、第一に前記ロック手段による前記ロックを解除し、第二に前記係止解除手段による前記係止を解除するように構成されていることを特徴とする。
【手続補正２】
【補正対象書類名】明細書
【補正対象項目名】００１１
【補正方法】変更
【補正の内容】
【００１１】
このような特徴の容器兼用注射器によれば、係止解除手段を径方向に移動させることによって保持手段によるセーフティーデバイスの係止状態を解除する。これによって、セーフティーデバイスは付勢手段の付勢によって前方側に移動して注射針を覆う。即ち、保持手段をスライド移動させる操作のみをもってセーフティーデバイスが前方側に移動するため、容易かつ確実に注射針をセーフティーデバイスで覆うことができる。また、ロック手段によって保持手段によるセーフティーデバイスの係止状態がロックされているため、例えば不意に保持手段による係止状態を解除する外力が及んだ場合であっても、当該係止状態が解除されることはない。
また、係止解除手段の一度のスライド移動によってロック手段によるロック及び保持手段による係止状態を解除することができる。したがって、セーフティーデバイスの誤作動を確実に防止しながらも、簡易な動作でもってセーフティーデバイスを作動させることができる。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
薬液が充填され軸線に沿って延びる外筒の前端側に、注射針を装着した筒先が取り付けられるとともに、前記外筒の後端側に、フィンガーグリップが取り付けられた容器兼用注射器本体と、前記外筒の外周側に摺動可能に装着され、前方移動した際に前記注射針を覆うセーフティーデバイスとを備えた容器兼用注射器において、
前記セーフティーデバイスを前方側に付勢する付勢手段と、
前記セーフティーデバイスを前記付勢手段の付勢に抗して後退位置にて係止状態とする保持手段と、
前記軸線の径方向に沿ってスライド移動可能に設けられ、該スライド移動によって前記保持手段による前記セーフティーデバイスの前記係止状態を解除する係止解除手段と、
前記保持手段による前記セーフティーデバイスの前記係止状態をロックするロック手段とを備え、
前記係止解除手段が、
前記径方向外側に位置する待機位置から前記径方向内側に位置する解除位置にスライド移動する際に、
第一に前記ロック手段による前記ロックを解除し、
第二に前記係止解除手段による前記係止を解除するように構成されていることを特徴とする容器兼用注射器。
【請求項２】
前記保持手段が、前記容器兼用注射器本体に設けられた係止部と、前記セーフティーデバイスの後端部に設けられて前記係止部に前記径方向外側から係合する係合部とからなり、
前記ロック手段が、前記係合部を前記径方向外側から押圧する押圧部を備えることを特徴とする請求項１に記載の容器兼用注射器。
【請求項３】
前記係合部の前記径方向外側の面に、前記押圧部が当接するリブを備えることを特徴とする請求項２に記載の容器兼用注射器。  
【請求項４】
前記ロック手段が、前記容器兼用注射器本体に対して回動可能に設けられ、
前記係止解除手段をスライド移動させる際に該係止解除手段が前記ロック手段に当接して、該ロック手段が回動されることによって、前記ロック手段による前記ロックが解除されることを特徴とする請求項１から３のいずれか一項に記載の容器兼用注射器。
【請求項５】
前記ロック手段が、前記径方向に沿ってスライド移動可能に設けられ、
前記係止解除手段のスライド移動に伴って前記ロック手段がスライドすることで、該ロック手段による前記ロックが解除されることを特徴とする請求項１から３のいずれか一項に記載の容器兼用注射器。
【請求項６】
前記フィンガーグリップに、
前記後退位置にある前記セーフティーデバイスの後端外周部を外周側から包囲する指当カバーが設けられたことを特徴とする請求項１から５のいずれか一項に記載の容器兼用注射器。